(57)【要約】      （修正有）【課題】少なくとも３つ以上の差し込み角度パターンで、内筒を解錠方向に回すことができる錠、及び鍵を提供する。【解決手段】外筒１１に対して回動する内筒１２の鍵穴１３の内周面の形状は、非正多角形又は正多角形のいずれかの多角形であり、この鍵穴１３が多角形であるのに対応して、鍵穴１３に差し込まれる鍵本体Ｙのブレード２の軸直角断面の外周形状も少なくとも３回転対称に形成され、さらに、軸直角断面上における同一長さの長壁面２ａ又は短壁面２ｂのいずれかには、周方向に所定の回転角を有して、少なくとも合計３つ以上の同一条件の窪み３ａ、３ｂがそれぞれ形成されており、鍵本体Ｙの回転方向における任意の位置の、少なくとも３つ以上の差し込み角度パターンでブレード２を鍵穴１３にそれぞれ差し込んでも、窪み３ａ、３ｂは、必ずピンタンブラーの係合ピンの先端部に対して一致する。【選択図】図１
2014181472.tif 000002
【特許請求の範囲】
【請求項１】
外筒と該外筒に回動可能に設けられた内筒と該内筒と前記外筒に組み込まれたピンタンブラーを有する錠本体と、摘み部と少なくとも３回転対称の内周面を有する内筒の鍵穴に差込まれるブレードを有する鍵本体とから成るピンタンブラー錠用の鍵であって、前記鍵穴の内周面の形状は、非正多角形又は正多角形のいずれかの多角形であり、この鍵穴が多角形であるのに対応して前記ブレードの軸直角断面の外周形状も少なくとも３回転対称に形成され、さらに、前記軸直角断面上における同一長さの長壁面２ａ又は短壁面２ｂのいずれかには、周方向に所定の回転角を有して、少なくとも合計３つ以上の同一条件の窪みがそれぞれ形成されており、鍵本体の前記摘み部を任意に把持して該鍵本体の回転方向における任意の位置の、少なくとも３つ以上の差し込み角度パターンで前記ブレードを前記鍵穴にそれぞれ差込んでも、前記窪みは、必ず前記ピンタンブラーの係合ピンの先端部に対して一致するピンタンブラー錠の鍵。
【請求項２】
請求項１に於いて、ブレードの先端部は、先細り形状に形成され、該先細り形状先端部は、鍵本体を錠本体に差込む際、内筒の多角形状鍵穴の先端縁部分に周設された外拡誘導面に当接することを特徴とするピンタンブラー錠の鍵。
【請求項３】
外筒と該外筒に回動可能に設けられた内筒と該内筒と前記外筒に組み込まれたピンタンブラーを有する錠本体と、摘み部と少なくとも３回転対称の内周面を有する内筒の鍵穴に差込まれるブレードを有する鍵本体とから成るピンタンブラー錠用の鍵であって、前記鍵穴の内周面の形状は、非正多角形又は正多角形のいずれかの多角形であり、この鍵穴が多角形であるのに対応して前記ブレードの軸直角断面の外周形状も少なくとも３回転対称に形成され、さらに、前記軸直角断面上における同一長さの長壁面２ａには、周方向に所定の回転角を有して、少なくとも合計３つ以上の同一条件の第１窪３ａみがそれぞれ形成されており、さらに、前記長壁面の第１窪みに対して、前記軸直角断面上とは異なる位置の軸直角断面上における同一長さの短壁面２ｂには、周方向に所定の回転角を有して、少なくとも合計３つ以上の同一条件の第２窪み３ｂがそれぞれ形成されており、鍵本体の前記摘み部を任意に把持して該鍵本体の回転方向における任意の位置の、少なくとも３つ以上の差し込み角度パターンで前記ブレードを前記鍵穴にそれぞれ差込んでも、前記窪みは、必ず前記ピンタンブラーの係合ピンの先端部に対して一致するピンタンブラー錠の鍵。
【請求項４】
請求項３に於いて、長壁面２ａの第１窪み３ａは、短壁面２ｂの第２窪み３ｂよりも開口幅が大きく、かつ深いことを特徴とするピンタンブラー錠の鍵。
【請求項５】
請求項１又は請求項３に於いて、略多角形状であってかつ少なくとも３回転対称の外周面を有するピンタンブラー錠の鍵用の鍵材。
【請求項６】
ブレードの軸直角断面の形状が非正多角形の多角形で、その軸心を支点に左右方向のいずれかに所定角度だけ回転すると、３つ以上の回転対称である合鍵用のピンタンブラー錠であって、該ピンタンブラー錠の内筒１２の鍵穴１３の内周面の形状は、非正多角形又は正多角形のいずれかの多角形であることを特徴とするピンタンブラー錠。
【請求項７】
請求項６に於いて、内筒１２の回転軸方向に沿う二列以上のピンタンブラー群を構成する各係合ピン１７Ａ、１７Ｂが、互い異なる位置の軸直角断面Ｖ１、Ｖ２上に位置すると共に、回転方向にずれた位置に配設していることを特徴とするピンタンブラー錠。
【発明の詳細な説明】
【技術分野】
【０００１】
本発明は、ピンタンブラー錠、該ピンタンブラー錠の鍵、及び該鍵用の鍵材に関する。
【背景技術】
【０００２】
特許文献１は、「内筒（２）の径方向に断面大略矩形状である鍵穴（３）の短尺巾側面（３ａ）と長尺巾側面（３ｂ）からガイド孔（４、５）を夫々径方向に外筒まで穿設して、両ガイド孔内に一群のピンタンブラ（６、７）を納めてなるシリンダー錠用の鍵であって、鍵本体（Ａ）を上記鍵穴（３）と適合する断面矩形状に成形すると共にその側面（Ａ１）と板面（Ａ２）とに上記ピンタンブラ（６、７）をレベル合致状態に作動せしめる窪み鍵部（１０、１１）を大略倒円錐台形状に凹設形成してなる鍵」が記載されている。
【０００３】
この特許文献１に記載の鍵について検討して見るに、実用新案登録請求の範囲に於いて、例えば鍵穴（３）、一群のピンタンブラ（６、７）を納めてなるシリンダー錠用の鍵、鍵本体（Ａ）を上記鍵穴（３）と適合する断面矩形状に成形する、その側面（Ａ１）と板面（Ａ２）とに上記ピンタンブラ（６、７）をレベル合致状態に作動せしめる窪み鍵部（１０、１１）を大略倒円錐台形状に凹設形成してなる等の文言は、該特許文献１の鍵の形状、構造等を特定しているものと理解することができる。
【０００４】
ところで、錠前用の鍵及び該鍵用の鍵材は、錠前あっての鍵や鍵材なので、鍵や鍵材の軸直角断面（横断面）形状は、内筒の鍵穴の形状に制約されるという特質がある。付言すると、普通一般に、錠前を構成する鍵穴は、特許文献１に記載されているように「内筒（２）の径方向に断面大略矩形状」に形成されていることから、鍵や鍵材のブレード（差し込み部分）は、その断面形状は錠前の鍵穴の形状や長さに対応するように形成され、かつその平坦面や側面にキーコードとしての窪みが形成されている。そして、錠前は、普通一般に、ピッキング対策として安全性を高めるために「鍵違いの増大化」を目的とし、一方、錠前の前記目的に対応する合鍵は、さらにその操作性を考慮し、鍵本体を１８０度反転しても錠前の鍵穴に差込めることができる、いわゆるリバーシブルキーとなっている。
一般に「リバーシブルキー」と称される鍵や鍵材は、幅、長さ、横断面形状、コードの形成位置等が同一なので、１８０度反転しても錠前の鍵穴に差込むことができ、操作性が便利であるという利点がある。
【０００５】
しかしながら、このような利便性を有するリバーシブルキーであっても、合鍵を鍵穴に差込む際、その姿勢は、合鍵を表側にして差し込むか、又は裏側にして差し込むかのいずれかで、いわば「二つのパターン」しか存在しない。この点については、特許文献２も同様である。
【０００６】
特許文献２の第３図、第４図、第５図、第６図を見ると、本発明の各実施形態と同様に、キーの作動部（ブレード）の軸直角断面（横断面）形状の外周形状が、円形や、三角、四角、六角等の正多角形のものが開示されている。
【０００７】
しかして、この特許文献２は、数多くの鍵違いを得ることを目的とし、作動部（ブレード）の長手方向に形成された複数列の窪みが、作動部の周方向に一致しないように、いわば互い違いの位置に形成されている。したがって、錠本体の各ピンタンブラーの位置は、例えば縦断面である第２図を参照にすると、上方に位置するピンタンブラーと下方に位置するピンタンブラーとが内筒の回転軸方向に互い違いにずれた状態となっている。
【０００８】
なお、特許文献３のキーの形状も、棒状体でかつ円形であるものの、キーのブレードの外周面には、錠本体の内筒に形成した突条の案内手段と係合する長溝が形成されているので、錠前の鍵穴に差込むキーの姿勢は、常に所定の差し込み姿勢に限定され、特許文献２のキーと同様である。
【０００９】
そこで、現在、さらなる高齢化社会への突入に当って、「鍵違いの増大化」を多少犠牲にしても、鍵挿入時の操作性を重要視した方が良いとの思想が登場したのに伴い、このような思想を歓迎して「鍵穴に差込む際の鍵の姿勢の多様化」に適合する合鍵や該合鍵用の鍵材が求められている。そこで、このような要望を解決するために本発明が出現した。
【先行技術文献】
【特許文献】
【００１０】
【特許文献１】実開昭５９−５１９５８
【特許文献２】特開昭５６−５９９７５
【特許文献３】特開平６−３１７０５０
【発明の概要】
【発明が解決しようとする課題】
【００１１】
本発明の所期の目的は、鍵穴に差込む際の鍵の姿勢の多様化に適合する合鍵や該合鍵用の鍵材を提供することで、挿入時、合鍵が鍵穴に上手く入らないような場合、そのまま合鍵を左右方向に所要量回すと、鍵穴にスムース挿入することができ、挿入さえすれば、内筒を回すことができることである。換言すると、少なくとも３つ以上の差し込み角度パターンで合鍵のブレードを鍵穴に差し込みさえすれば、内筒を解錠方向に回すことができることである。第２の目的は、鍵を鍵穴に差し込む際、その先端部の位置が鍵穴に対して若干ずれても、該先端部はスムースに鍵穴へと誘導されることである。付言すると、鍵穴への挿入が非常に楽であることである。第３の目的は、本願発明の所期の目的を達成することができる鍵材を提供することである。第４の目的は、本発明の所期の目的に適合するピンタンブラー錠を提案することであり、特に、鍵違いの増大化を得るピンタンブラー錠を提案することである。
【課題を解決するための手段】
【００１２】
本発明のピンタンブラー錠の鍵は、外筒と該外筒に回動可能に設けられた内筒と該内筒と前記外筒に組み込まれたピンタンブラーを有する錠本体と、摘み部と少なくとも３回転対称の内周面を有する内筒の鍵穴に差込まれるブレードを有する鍵本体とから成るピンタンブラー錠用の鍵であって、前記鍵穴の内周面の形状は、非正多角形又は正多角形のいずれかの多角形であり、この鍵穴が多角形であるのに対応して前記ブレードの軸直角断面の外周形状も少なくとも３回転対称に形成され、さらに、前記軸直角断面上における同一長さの長壁面２ａ又は短壁面２ｂのいずれかには、周方向に所定の回転角を有して、少なくとも合計３つ以上の同一条件の窪みがそれぞれ形成されており、鍵本体の前記摘み部を任意に把持して該鍵本体の回転方向における任意の位置の、少なくとも３つ以上の差し込み角度パターンで前記ブレードを前記鍵穴にそれぞれ差込んでも、前記窪みは、必ず前記ピンタンブラーの係合ピンの先端部に対して一致することを特徴とする。
【００１３】
また本発明のピンタンブラー錠の鍵は、外筒と該外筒に回動可能に設けられた内筒と該内筒と前記外筒に組み込まれたピンタンブラーを有する錠本体と、摘み部と少なくとも３回転対称の内周面を有する内筒の鍵穴に差込まれるブレードを有する鍵本体とから成るピンタンブラー錠用の鍵であって、前記鍵穴の内周面の形状は、非正多角形又は正多角形のいずれかの多角形であり、この鍵穴が多角形であるのに対応して前記ブレードの軸直角断面の外周形状も少なくとも３回転対称に形成され、さらに、前記軸直角断面上における同一長さの長壁面２ａには、周方向に所定の回転角を有して、少なくとも合計３つ以上の同一条件の第１窪３ａみがそれぞれ形成されており、さらに、前記長壁面の第１窪みに対して、前記軸直角断面上とは異なる位置の軸直角断面上における同一長さの短壁面２ｂには、周方向に所定の回転角を有して、少なくとも合計３つ以上の同一条件の第２窪み３ｂがそれぞれ形成されており、鍵本体の前記摘み部を任意に把持して該鍵本体の回転方向における任意の位置の、少なくとも３つ以上の差し込み角度パターンで前記ブレードを前記鍵穴にそれぞれ差込んでも、前記窪みは、必ず前記ピンタンブラーの係合ピンの先端部に対して一致することを特徴とする。さらに、上記各構成のピンタンブラー錠の鍵用の鍵材は、略多角形状であってかつ少なくとも３回転対称の外周面を有することを特徴とする。
【００１４】
さらに、本発明のピンタンブラー錠は、ブレードの軸直角断面の形状が非正多角形の多角形で、その軸心を支点に左右方向のいずれかに所定角度だけ回転すると、３つ以上の回転対称である合鍵用のピンタンブラー錠であって、該ピンタンブラー錠の内筒１２の鍵穴１３の内周面の形状は、非正多角形又は正多角形のいずれかの多角形であるであることを特徴し、特に、内筒１２の回転軸方向に沿う二列以上のピンタンブラー群を構成する各係合ピン１７Ａ、１７Ｂが、互い異なる位置の軸直角断面Ｖ１、Ｖ２上に位置すると共に、回転方向にずれた位置に配設していることを特徴とする。
【発明の効果】
【００１５】
（ａ）請求項１に記載の発明は、鍵穴に差込む際の鍵の姿勢の多様化に適合する合鍵や該合鍵用の鍵材を提供することで、挿入時、合鍵が鍵穴に上手く入らないような場合、そのまま合鍵を左右方向に所要量回すと、鍵穴にスムース挿入することができ、挿入さえすれば、内筒を回すことができることができる。このような意味に於いて、差し込み角度をあまり気にせず、少なくとも３つ以上の差し込み角度パターンで合鍵のブレードを鍵穴に差し込みさえすれば、内筒を解錠方向に回すことができる。
（ｂ）請求項２に記載の発明は、鍵穴への挿入が非常に楽である。
（ｃ）請求項３及び請求項４に記載の発明は、請求項１に記載の発明と同一の目的を達成することができると共に、複製が困難な合鍵を提供することができる。
（ｄ）請求項５に記載の発明は、本発明の所期の目的を達成することができる鍵材を提供することができる。
（ｅ）請求項６に記載の発明は、本発明の所期の目的に適合するピンタンブラー錠を提案することできる。特に請求項７に記載の発明は、鍵違いの増大化を得ることができる。
【図面の簡単な説明】
【００１６】
図１乃至図１７は本発明の第１実施形態を示す各説明図、図１８乃至図２４は本発明の第２実施形態を示す各説明図、図２５乃至図２７は本発明の第３実施形態を示す各説明図、図２８は本発明の鍵材の一例を示す説明図。図２９は摘み部分の変形例を示す説明図、図３０は鍵穴の形状とブレードの断面形状が異なる実施形態の図２４と同様の説明図。
【図１】錠本体Ｘの一部と鍵本体を示す斜視図。
【図２】鍵本体Ｙの斜視図。
【図３】正面図。
【図４】平面図。
【図５】左側面図。
【図６】図３の６−６線断面図。
【図７】図３の７−７線断面図。
【図８】（ａ）と（ｂ）は、錠本体Ｘの異なる位置での軸直角方向の各概略断面説明図。
【図９】錠本体Ｘの軸方向の概略断面説明図。なお、図面上、下方の係合ピン１７Ｂは一部を除き全体的に仮想線で表れるが、便宜上実線で示している。
【図１０】鍵穴の形状の概略説明図。
【図１１】差し込み角度パターンの一例を示す説明図。
【図１２】差し込み角度パターンの他の例を示す説明図。
【図１３】先端部が外拡誘導面に誘導されている例を示す概略説明図。
【図１４】第１実施形態に於いて、回転対称の数に対応して「４つ」の挿入パターンがある説明図。
【図１５】合鍵を鍵穴に差し込んだ時の説明図（大きい窪みが第１列の第１係合ピンと係合、なお、第２列の第２係合ピンも同様）。
【図１６】解錠方向へ回している説明図。
【図１７】解錠位置まで回した説明図。
【図１８】第２実施形態の鍵本体Ｙ１の斜視図。
【図１９】正面図。
【図２０】平面図。
【図２１】図１８の２１−２１線拡大断面図。
【図２２】差し込み角度パターンの一例を示す説明図。
【図２３】第２実施形態の先端部が外拡誘導面に誘導されている一例を示す概略説明図。
【図２４】鍵本体挿入前の初期位置と鍵本体挿入時の説明図（大きい窪みが第１列の第１係合ピンと係合、なお、第２列の第２係合ピンも同様）。
【図２５】第３実施形態の鍵本体Ｙ２の斜視図。
【図２６】正面図。
【図２７】図２５の２７−２７線拡大断面図。
【図２８】鍵材の一例を示す斜視図。
【図２９】（ａ）、（ｂ）、（ｃ）は、摘み部の種類を示す説明図。
【図３０】鍵穴の形状とブレードの断面形状が異なる実施形態の図２４と同様の説明図。
【発明を実施するための最良の形態】
【００１７】
図１乃至図１７は本発明の第１実施形態を示す。まず図１に於いて、Ｘはピンタンブラー錠（ここでは「錠本体Ｘ」を言う。）、一方、Ｙは錠本体Ｘの鍵穴１３に差込むことができる合鍵（ここでは「鍵本体Ｙ」を言う。）である。図１では、錠本体Ｘは、便宜上、外筒１１と、鍵穴１３を有する内筒１２の一部を斜視で示している。
【００１８】
鍵本体Ｙは、そのブレード２を鍵穴１３に向けている姿勢の一態様を示している。本発明の鍵本体Ｙは、少なくとも摘み部１を任意に把持して該鍵本体Ｙの回転方向における任意の位置の、少なくとも３つ以上の差し込み角度パターンで前記ブレード２を前記鍵穴１３にそれぞれ差込んでも、外周面の複数個の窪み３（３ａ、３ｂ）の少なくとも一つは、必ず錠本体Ｘのピンタンブラーの、少なくとも一つの係合ピン（１７Ａ、１７Ｂ）の先端部に対して一致し、以て、鍵本体Ｙ或いは摘み部分１と共に内筒１２を解錠方向へ回動させることができる。付言すると、従来のリバーシブルキーの如く、鍵本体Ｙのブレード２の外周面の、特定の平坦面（表面か裏面）を多角形状鍵穴の内周面を形成する特定の側面（水平面か垂直面）に合わせる必要は全くない。
【００１９】
さて、図２は鍵本体Ｙの斜視図、図３は正面図、図６は図３の６−６線断面図、図７は図３の７−７線断面図である。これらの図から明らかなように、鍵本体Ｙは、摘み部１と、該摘み部の基部１ｂから錠本体Ｘの内筒の回転軸方向に棒状に延びかつ該内筒の鍵穴に差込まれるブレード２から成る。
【００２０】
上記図６及び図７は、合鍵として鍵本体Ｙの軸直角断面（半径方向の断面）の形状が非正多角形の多角形で、その一例として略八角形であり、その軸心を支点に左右方向のいずれかに所定角度だけ回転すると、「４つ」の回転対称であることを示している。ここで「回転対称性」について簡単に言及すると、ある図形をある回転角で回転したとき、もとの図形に重なる場合、その図形は回転対称性を持っていると言われている。したがって、実施化されている合鍵の、「リバーシブルキー」と称されものは、１／２（１８０度）回転して内筒の鍵穴に挿入可能なものである。本実施形態の鍵本体Ｙは、操作性を高めるために、少なくとも１／３（１２０度）回転して内筒１２の鍵穴１３に挿入可能な軸直角断面形状を有している。
【００２１】
そこで、図６を参照にして鍵本体Ｙのブレード２の第１軸直角断面Ｖ１の外周形状を説明すると、まず、第１の軸直角断面Ｖ１上における同一長さの長壁面２ａ、２ａ、２ａ、２ａの各中央部には、周方向に所定の回転角（９０度）を有して、合計４つ以上の同一条件の第１窪み３ａがそれぞれ形成されている。
【００２２】
一方、図７を参照にして鍵本体Ｙのブレード２の前記第１軸直角断面Ｖ１上とは異なる位置の第２軸直角断面Ｖ２上における同一長さの短壁面２ｂ、２ｂ、２ｂ、２ｂには、周方向に所定の回転角（９０度）を有して、合計４つ以上の同一条件の第２窪み３ｂがそれぞれ形成されている。実施形態では、錠本体Ｘの係合ピン１７Ａ、１７Ｂの先端部の径の大小に対応して、前記長壁面２ａの第１窪み３ａは、前記短壁面２ｂの第２窪み３ｂよりも開口幅が大きく、かつ深い（図６、図７参照）。
【００２３】
また図８は、錠本体Ｘの異なる位置での軸直角方向の各概略断面説明図で、（ａ）と（ｂ）は、錠本体Ｘの内筒１２の回転軸方向に沿う、各列のピンタンブラー１７群を構成する複数の各係合ピン１７Ａ、１７Ｂが、互い異なる位置の軸直角断面Ｖ１、Ｖ２上に位置すると共に、回転方向にずれた位置に配設していることを示す。そして、前記（ａ）は鍵本体Ｙに形成された大きい窪み３ａの方に係合可能な第１係合ピン１７Ａを実線で示し、一方、前記（ｂ）は鍵本体Ｙに形成された小さい窪み３ｂの方に係合可能な第２係合ピン１７Ｂを実線で示している。
【００２４】
さらに図９は、錠本体Ｘの軸方向の概略断面説明図で、この図９では、上方に位置するピンタンブラー１７の第１係合ピン１７Ａと下方に位置するピンタンブラー２０の第２係合ピン１７Ｂとが内筒１２の回転軸方向に互い違いにずれ位置に配設されていることを示す。
【００２５】
したがって、図１乃至図９を参照にすると、本発明のピンタンブラー錠の鍵は、基本的には、外筒１１と該外筒に回動可能に設けられた内筒１２と、該内筒１２と前記外筒１１に組み込まれたピンタンブラー２０を有する錠本体Ｘと、摘み部１と該摘み部の基部から前記内筒１２の回転軸方向に棒状に延びると共に、略多角形状であってかつ少なくとも３回転対称の内周面を有する内筒１２の鍵穴１３に差込まれるブレード２とを有する鍵本体Ｙとから成り、前記鍵穴１３の内周面の形状は、長い幅面１２ａと短い幅面１２ｂが周方向に交互に連続する非正多角形であり、この非正多角形の鍵穴の内周面に対応して前記ブレード２の軸直角断面の外周形状が非正多角形かつ少なくとも３回転対称に形成され、さらに、前記軸直角断面上における同一長さの長壁面２ａ又は短壁面２ｂのいずれかには、周方向に所定の回転角を有して、少なくとも合計３つ以上の同一条件の窪み３がそれぞれ形成されており、鍵本体Ｙの前記摘み部１を任意に把持して該鍵本体Ｙの回転方向における任意の位置の、少なくとも３つ以上の差し込み角度パターンで前記ブレード２を前記鍵穴１３にそれぞれ差込んでも、前記窪み３は、必ず前記ピンタンブラー２０の係合ピン１７（例えば１７Ａ、１７Ｂ）の先端部に対して一致し、以て、鍵本体Ｙと共に内筒１３を解錠方向へ回動させることができる。
【００２６】
ここで、摘み部１の形状について説明する。実施形態では、前記摘み部１は、その後端部１ａの後端面が略正三角形（例えばおむすび形状）で、基部１ｂの先端面に至るにしたがって次第に幅が狭くなるように形成されているので、角柱状の摘み部１となっている。なお、この摘み部１は後述するように任意に設計変更可能である。
【００２７】
また、前記ブレード２は前述したように、その軸直角断面の外周形状が多角形（実施形態では八角形）に形成され、かつ、外周形状を形成する少なくとも３つ以上のややアールに形成された短壁面２ｂを堺にして互いに周方向に交互に連続する少なくとも合計「３つ」以上の長壁面２ａの異なる位置での軸直角断面Ｖ１、Ｖ２上に開口と深さが異なる大小の窪み３ａ、３ｂがそれぞれ形成されている。
したがって、長壁面２ａに形成され大きい窪み３ａの条件は皆一緒であり、また、短壁面２ｂに形成され小さい窪み３ｂの条件も皆一緒である。窪み３の断面形状は、例えばすり鉢形状、普通一般の窪みなど任意に形成することができる。
【００２８】
であるから、例えば図１４で示すように、鍵本体Ｙの摘み部１を任意に把持して該鍵本体の回転方向における任意の位置の、少なくとも３つ以上の差し込み角度パターン（ここでは差し込み姿勢角度がリバーシブルキーよりも多く３つ以上あること。）で、ブレード２を錠本体Ｘの内筒１２の鍵穴１３に差込んでも、前記各窪み３（３ａ、３ｂ）は、必ず錠本体Ｘのピンタンブラー２０の係合ピンの先端部に対して一致し、以て、鍵本体Ｙ或いは摘み部分１と共に内筒１２を解錠方向へ回動させることができる。
【００２９】
実施形態では、さらに、ブレード２の先端部５は、例えばその先端が面取り４され、かつ角すいの先細り形状に形成されている。
【００３０】
しかして、前記先細り形状先端部５は、図１３で示すように、鍵本体Ｙを錠本体Ｘの鍵穴１３に差込む際、内筒１２の鍵穴１３の先端縁部分１３ａに周設された正多角形状、すり鉢形状の内周面等の外拡誘導面１３ｂに当接する。
【００３１】
ここで、鍵本体Ｙを特徴付ける錠本体Ｘの構成をさらに説明する。普通一般にこの種の錠前は、外筒と当該外筒の内側に回動可能に配置される内筒とを通じて複数のピン孔が穿設され、当該複数のピン孔に収容されたピンとドライバーとの境界を内筒と外筒との境界に一致させることにより、内筒の外筒に対する相対回転を許容する。図８及び図９で示すように、本実施形態の錠本体Ｘの基本的原理も従来の錠前と変わることがないので、細部的事項の説明は割愛する。
【００３２】
錠本体Ｘは、略円筒形状の外筒１１と、外筒１１の内側に回動可能に配置される内筒１２とを有している。内筒１２には、その回転軸に沿って鍵穴１３が形成されている。前記鍵穴１３は、図１０で示すように、鍵本体Ｙの断面形状に対応して略多角形状に形成され、実施形態では、その内周側面に合計八つの受け入れ面ａ１乃至ｈ１が形成されている。
【００３３】
また、外筒１１および内筒１２には、外筒１１と内筒１２とを通じてピンタンブラー用の複数のピン孔１４、１５、１６が穿設されている。これらのピン孔は、外筒１１に穿設された外筒側のピン孔１４と内筒１２に穿設された内筒側のピン孔１５とから構成され、両者は同一径である。さらに、内筒側のピン孔１５の底部から鍵穴１３に向けて、ピン孔１５よりも径の小さい貫通孔１６が穿設されている。そして、ピン孔１４、１５および貫通孔１６が連続した状態で、外筒１１のピン孔１４の外表面側開口から、係合ピン１７、ドライバー１８および付勢バネ１９が挿入される。なお、不番の開口は蓋板２１よって閉鎖される。
【００３４】
さらに説明すると、前記係合ピン１７は、貫通孔１６内で摺動可能な係合先端部分を有する軸部１７ａと、該係合先端部分を有する軸部１７ａの外方に連設し、かつドライバー１８に接触可能な係合鍔１７ｂとからなる。係合ピン１７は、付勢バネ１９の弾発力によって、通常はドライバー１８と共に内方（鍵穴方向）へ付勢されるが、ピン孔１５と貫通孔１６との段差部に係合鍔１７ｂが当接することにより、内方への移動が規制されている。
【００３５】
したがって、タンブラーピン２０は、内側の係合ピン１７と、外側のドライバー１８とで構成され、付勢バネ１９のバネ力により、前記係合ピン１７の半円弧状係合先端部分が常に所定量鍵穴１３に突出している。
【００３６】
なお、実施形態では、前記係合ピン１７は、鍵本体Ｙの大きい窪み３ａに係合する第１係合ピン１７Ａと、この第１係合ピン１７Ａよりも先端部が小径で、鍵本体Ｙの小さい窪み３ｂに係合する第１係合ビン１７Ｂの二種類に区別されている。
【００３７】
また図９で示すように、実施形態では、タンブラーピン２０（ピン孔１４、１５）は、上方と下方にそれぞれ軸方向に一直線に複数並んで列を成しているが、上下の各タンブラーピン２０は、特許文献１の如く互い違いある。
【００３８】
図１５乃至図１７は作用に関する説明図である。図１５は合鍵を鍵穴に差し込んだ時の説明図、図１６は解錠方向へ回している説明図、そして、図１７は解錠位置まで回した説明図である。
【００３９】
これらの図から明らかなように、本発明では、鍵本体Ｙの摘み部１を任意に把持して該鍵本体Ｙの回転方向における任意の位置の、「４つ」の差し込み角度パターンで、ブレード２を内筒１２の角形状鍵穴１３にそれぞれ差込んでも、各窪み３のいずれか一つ以上は、必ずピンタンブラー２０の係合ピン１７の先端部に対して一致し、以て、鍵本体Ｘ或いは摘み部分１と共に内筒１２を解錠位置まで回動させることができる。
【実施例】
【００４０】
実施形態では、内筒１２の鍵穴１３の内周面の形状は、例えば非正八角形であり、この形状に対応してブレード２の外周形状も非八角形であるが、本発明の所期の目的を逸脱しない範囲に於いて、例えば図３０で示すように、両者の角数の形状を異なるように設計変更しても良い。図３０は図２４と同様の説明図であるが、図２４の鍵穴１３Aの形状が非正三角形であるのに対して、図３０の鍵穴１３Aのそれは正三角形である。すなわち、鍵穴１３Aは正三角形であるのに対して、ブレード２Aの断面形状は非正三角形(例えば非六角形)である。もちろん、鍵穴１３Aの内周面の形状を非正三角形にし、一方、ブレード２の外周形状は、前記非正三角形に対して周方向に３つの平坦面がそれぞれ対面する非正六角形とすることもできる。
【００４１】
また、実施形態の鍵本体Ｙは、摘み部１とブレード２とが固定的に設けられている（例えば一体に成形されている）が、摘み部１とブレード２は相対的に回転可能であっても良い。後者のブレード２が摘み部１に対して回転する実施形態の場合には、摘み部１と共に内筒１２が回転する必要があるので、両者の結合手段として、例えば摘み部１の先端部に複数個の係合突起を周方向に複数個設け、一方、前記係合突起に係合する複数個の係合凹所を内筒１２の前部に形成する（係合手段型）、摘み部１の先端部に磁性体を設け、該磁性体の極性を利用して該摘み部１の先端部を内筒１２の前部の金属或いは磁性体に吸着させる（磁性体の極性利用型）、摘み部１の先端部及び内筒１２の前部にそれぞれ対応するセレーションを設ける（多数の係合溝型）等をする。
【００４２】
次に図１８乃至図２９を参照にして、「鍵材」を含む本発明の他の実施形態を説明する。なお、他の実施形態の説明に当って、第１実施形態と同一の部分には同一又は同様の符号を付して重複する説明を割愛する。
【００４３】
まず、図１８乃至図２４は本発明の第２実施形態を示す各説明図である。これらの図から明らかなように、鍵本体（合鍵）Ｙ１のブレード２Ａの軸直角断面の外周形状が多角形であるものの、この実施形態では、非正三角形状の「おむすび形状」である。
【００４４】
したがって、鍵本体Ｙ１のブレード２Ａの軸直角断面の外周形状が非正三角形状の「おむすび形状」であるから、内筒１２Ａの鍵穴１３の内周面の形状も、ブレード２Ａの断面形状に対応して「おむすび形状」に形成されている。
【００４５】
なお、ブレード２Ａの先端部５Ａの形状は、必ずしも正三角形の先細り形状にする必要はなく、例えば円錐形状であっても良い。また、錠本体Ｘの１内筒１２Ａの鍵穴１３Ａの挿入口の先端縁部分１３ａ乃至外拡誘導面１３ｂの形状も適宜に形成されている（例えばおむすび形状の外拡誘導面）。
【００４６】
次に、図２５乃至図２７は本発明の第３実施形態の鍵本体Ｙ２を示す各説明図である。この第３実施形態の鍵本体Ｙ２のブレード２Ｂの軸直角断面の外周形状は、海岸に設置された「テトラポット」或いは「雪の結晶形状」である。前述したように、本発明の鍵本体の断面形状は、多角形であって、３つ以上の回転対称であれば良いので、例えば幾つかの雪の結晶形状に参照にして形成することができる。図２７は図２５の２７−２７線拡大断面図であるが、この場合、断面形状の各角をアールに形成するのが望ましい。したがって、ブレード２Ｂの軸直角断面の外周形状が「テトラポット」形状であるから、内筒の鍵穴の内周面の形状も、ブレード２Ｂの断面形状に対応して「テトラポット」形状に形成されている。なお、ブレード２Ｂの先端部５Ｂの形状は、必ずしも１２角形の先細り形状にする必要はなく、例えば円錐形状であっても良い。また、錠本体の内筒の鍵穴の挿入口の先端縁部分乃至外拡誘導面の形状も、第１実施形態と同様に適宜に形成されている。
【００４７】
その他、鍵本体の断面形状として、星のイメージを参照にしたものや、各種の幾何学的図形を参照にすることができる。
【００４８】
図２８は、「鍵本体Ｙ」を前提とする鍵材Ｚの一例を示す。この鍵材Ｚは、当然のことながら、略多角形状であってかつ少なくとも３回転対称の外周面を有する。
【００４９】
最後に図２９の（ａ）、（ｂ）、（ｃ）は、３種類の摘み部１Ａ、１Ｂ、１Ｃを示す説明図である。第１実施形態の摘み部１は、正三角形状であるが、摘み部１の外観形態はこれに限定するものではなく、円形、六角形状、Ｔ字形状、板状等に適宜設計変更することができる。
【産業上の利用可能性】
【００５０】
本発明は、建具や錠前の分野で利用される。
【符号の説明】
【００５１】
Ｘ、Ｘ１…錠本体、Ｙ、Ｙ１、Ｙ２…鍵本体、Ｚ…鍵材、１、１Ａ、１Ｂ、１Ｃ…摘み部、２、２Ａ、２Ｂ…ブレード、２ａ…長壁面、２ｂ…短壁面、３…窪み、３ａ…大きい窪み、３ｂ…小さい窪み、５…先端部、１１…外筒、１２…内筒、１２ａ…長い幅面、１２ｂ…短い幅面、１３…鍵穴、１３ａ…先端縁部分、１３ｂ…外拡誘導面、１７…係合ピン、１９…付勢バネ、２０…ピンタンブラー。
【図１】
2014181472.tif 000003
【図２】
2014181472.tif 000004
【図３】
2014181472.tif 000005
【図４】
2014181472.tif 000006
【図５】
2014181472.tif 000007
【図６】
2014181472.tif 000008
【図７】
2014181472.tif 000009
【図８】
2014181472.tif 000010
【図９】
2014181472.tif 000011
【図１０】
2014181472.tif 000012
【図１１】
2014181472.tif 000013
【図１２】
2014181472.tif 000014
【図１３】
2014181472.tif 000015
【図１４】
2014181472.tif 000016
【図１５】
2014181472.tif 000017
【図１６】
2014181472.tif 000018
【図１７】
2014181472.tif 000019
【図１８】
2014181472.tif 000020
【図１９】
2014181472.tif 000021
【図２０】
2014181472.tif 000022
【図２１】
2014181472.tif 000023
【図２２】
2014181472.tif 000024
【図２３】
2014181472.tif 000025
【図２４】
2014181472.tif 000026
【図２５】
2014181472.tif 000027
【図２６】
2014181472.tif 000028
【図２７】
2014181472.tif 000029
【図２８】
2014181472.tif 000030
【図２９】
2014181472.tif 000031
【図３０】
2014181472.tif 000032